(57)【要約】【課題】踵接地部材１０の交換使用回数を増加させること。【解決手段】靴底本体４０の踵領域８に離脱自在に装着される踵接地部材１０を備えた靴２。踵領域８には凹部１２が形成され、凹部１２の底面には磁石部材１４が固着され、踵領域８の、凹部１２を除く下面領域には多数のループ１６が配設されている。踵接地部材１０の上面には磁石部材１８が突出して固着されている。踵接地部材１０の、磁石部材１８を除く上面領域には多数のフック２０が配設されている。踵接地部材１０は、磁石部材１８が、凹部１２に嵌合されかつ磁石部材１４に吸着されると共にフック２０がループ１６に離脱自在に係合される。【選択図】  図１
2005087250.tif 000002
【特許請求の範囲】
【請求項１】
靴底本体と、該靴底本体の踵領域に離脱自在に装着される踵接地部材とを備えた靴において、
該靴底本体の該踵領域には凹部が形成され、該凹部の底面には磁気吸着部材が固着され、該靴底本体の該踵領域における、該凹部を除く下面領域には係合手段が配設され、
該踵接地部材の上面には磁気被吸着部材が突出して固着され、該踵接地部材における、該磁気被吸着部材を除く上面領域には被係合手段が配設され、
該踵接地部材は、該磁気被吸着部材が、該踵領域の該凹部に離脱自在に嵌合されかつ該磁気吸着部材に分離可能に吸着されると共に被係合手段が係合手段に離脱自在に係合されて該踵領域に離脱自在に装着される、
ことを特徴とする靴。
【請求項２】
該磁気吸着部材は磁石部材から構成され、該磁気被吸着部材は磁石部材又は磁性部材から構成される、請求項１記載の靴。
【請求項３】
該磁気吸着部材は磁性部材から構成され、該磁気被吸着部材は磁石部材から構成される、請求項１記載の靴。
【請求項４】
該磁石部材は所定の厚さを有する磁石板部材から形成される、請求項２又は請求項３記載の靴。
【請求項５】
該磁石板部材はラバーマグネットから形成される、請求項４記載の靴。
【請求項６】
該磁性部材は所定の厚さを有する磁性板部材から形成される、請求項２又は請求項３記載の靴。
【請求項７】
該磁性板部材は可撓性を有している、請求項６記載の靴。
【請求項８】
該靴底本体の該踵領域における該凹部は該踵領域の中央領域に形成され、該踵接地部材の上面に突出して固着された該磁気被吸着部材は該踵接地部材の中央領域に配置される、請求項１〜７のいずれか１項に記載の靴。
【請求項９】
該踵接地部材は、該磁気被吸着部材の外周面が該踵領域の該凹部の内周面にほぼ密着して嵌合されて該踵領域の下面全体を覆うよう該踵領域に装着される、請求項８記載の靴。
【請求項１０】
該磁気被吸着部材の該外周面は、該踵接地部材の幅方向に直線状に延在する直線外面と、該直線外面に対し該踵接地部材の後側領域内において、該直線外面の両端間をほぼ円弧状に延在する曲外面とからなり、該凹部の該内周面は、該踵領域の幅方向に直線状に延在する直線内面と、該直線内面に対し該踵領域の後側領域内において、該直線内面の両端間をほぼ円弧状に延在する曲内面とからなる、請求項９記載の靴。
【請求項１１】
該靴底本体の該踵領域における該凹部は、該踵領域の前後方向の中間領域において、該踵領域の幅方向の全領域を直線状に延在するよう形成され、該磁気被吸着部材は、該踵接地部材の前後方向の中間領域において、該踵接地部材の幅方向の全領域を直線状に延在するよう配置される、請求項１〜７のいずれか１項に記載の靴。
【請求項１２】
該磁気被吸着部材は、該踵接地部材の幅方向全域にわたって直線状に延在しかつ該踵接地部材の前方に面する前外面と、該前外面に対し後方に間隔をおいて平行に該踵接地部材の幅方向全域にわたって直線状に延在しかつ該踵接地部材の後方に面する後外面と、該前外面及び後外面の両端間を前後方向に延在する両側面とを備え、該凹部は、該踵領域の幅方向全域にわたって直線状に延在しかつ該踵領域の後方に面する前内面と、該前内面に対し後方に間隔をおいて平行に該踵領域の幅方向全域にわたって直線状に延在しかつ該前内面に対向する後内面とを備え、該踵接地部材は、該磁気被吸着部材の該前外面及び該後外面が、それぞれ該踵領域の該凹部の該前内面及び該後内面にほぼ密着して嵌合されて該踵領域の下面全体を覆うよう該踵領域に装着される、請求項１１記載の靴。
【請求項１３】
ボウリング用靴である、請求項１〜１２のいずれか１項に記載の靴。
【発明の詳細な説明】
【技術分野】
【０００１】
本発明は、靴底本体と、該靴底本体の踵領域に離脱自在に装着される踵接地部材、すなわち交換可能な踵接地部材とを備えた靴、特に、ボウリング用靴として好適に使用可能な靴に間する。
【背景技術】
【０００２】
一般的に、スポーツの１種であるボウリングは、ボールを投げるときに、投げる手と反対側の足（例えば右手で投げる場合には左足）で体重を支えると共に該足を滑らせる。この滑りは、スコアを左右するきわめて重要かつ微妙な要素であり、多すぎても少なすぎても、ボールのコントロールあるいはボールの威力などに悪影響を与えてしまう。上記滑りは、ボウリング用靴の接地部材の材質のみならず、ボウリング場におけるレーンコンディション、室内温度や湿度などの環境条件などによっても大きく左右される。
【０００３】
このため、使用するボウリング用靴の接地部材の材質が一定である場合には、そのときの種々の条件に合った最適な滑りが得にくくなる。このような不具合を解消するため、靴底本体に対し、材質などが異なる接地部材を随時交換できるようにしたボウリング用靴はすでに提案されている。
【０００４】
上記形態のボウリング用靴は、靴底本体の下面側に着脱自在なテープの一方の係合手段（例えば多数のフック）を設け、上面側に着脱自在なテープの他方の係合手段（例えば多数のループ）を設けた複数の接地部材を靴底本体の下面側に係合手段の各々を介して離脱自在に装着するよう構成されている（特許文献１参照）。接地部材は、爪先部品と、踵部品と、中央部品とからなる。このように構成されたボウリング用靴によれば、そのときの種々の条件に合った最適な滑りを得るために、材質などが異なる接地部材を適宜に選択することができるので、ある程度の所望する滑りを得ることは可能である。
【０００５】
しかしながら、上記ボウリング用靴においては、複数の接地部材を靴底本体の下面側に着脱自在なテープの係合手段の各々のみにより離脱自在に装着するよう構成されているので、繰り返して行われる滑り及び停止動作で発生する大きな摩擦力や荷重に対する耐久性に乏しく、当初のしっかりした保持力が比較的早期に劣化してしまう。その結果、接地部材を含むボウリング用靴全体の寿命が短くなる。このような耐久性の問題は、特に大きな荷重を受ける踵部品の結合部において顕著であり、改善が要望されるところであった。
【０００６】
【特許文献１】実公平７−５０９６１号公報
【発明の開示】
【発明が解決しようとする課題】
【０００７】
本発明の目的は、靴底本体の踵領域と踵接地部材との結合部の耐久性を向上させることにより、全体の寿命を長くすることを可能にする、新規な靴を提供することである。
【０００８】
本発明の他の目的は、靴底本体の踵領域と踵接地部材との結合部の耐久性を向上させることにより、全体の寿命を長くすることを可能にする、新規なボウリング用靴を提供することである。
【課題を解決するための手段】
【０００９】
本発明によれば、靴底本体と、該靴底本体の踵領域に離脱自在に装着される踵接地部材とを備えた靴において、該靴底本体の該踵領域には凹部が形成され、該凹部の底面には磁気吸着部材が固着され、該靴底本体の該踵領域における、該凹部を除く下面領域には係合手段が配設され、該踵接地部材の上面には磁気被吸着部材が突出して固着され、該踵接地部材における、該磁気被吸着部材を除く上面領域には被係合手段が配設され、該踵接地部材は、該磁気被吸着部材が、該踵領域の該凹部に離脱自在に嵌合されかつ該磁気吸着部材に分離可能に吸着されると共に被係合手段が係合手段に離脱自在に係合されて該踵領域に離脱自在に装着される、ことを特徴とする靴、が提供される。
該磁気吸着部材は磁石部材から構成され、該磁気被吸着部材は磁石部材又は磁性部材から構成される、ことが好ましい。
該磁気吸着部材は磁性部材から構成され、該磁気被吸着部材は磁石部材から構成される、ことが好ましい。
該磁石部材は所定の厚さを有する磁石板部材から形成される、ことが好ましい。
該磁石板部材はラバーマグネットから形成される、ことが好ましい。
該磁性部材は所定の厚さを有する磁性板部材から形成される、ことが好ましい。
該磁性板部材は可撓性を有している、ことが好ましい。
該靴底本体の該踵領域における該凹部は該踵領域の中央領域に形成され、該踵接地部材の上面に突出して固着された該磁気被吸着部材は該踵接地部材の中央領域に配置される、ことが好ましい。
該踵接地部材は、該磁気被吸着部材の外周面が該踵領域の該凹部の内周面にほぼ密着して嵌合されて該踵領域の下面全体を覆うよう該踵領域に装着される、ことが好ましい。
該磁気被吸着部材の該外周面は、該踵接地部材の幅方向に直線状に延在する直線外面と、該直線外面に対し該踵接地部材の後側領域内において、該直線外面の両端間をほぼ円弧状に延在する曲外面とからなり、該凹部の該内周面は、該踵領域の幅方向に直線状に延在する直線内面と、該直線内面に対し該踵領域の後側領域内において、該直線内面の両端間をほぼ円弧状に延在する曲内面とからなる、ことが好ましい。
該靴底本体の該踵領域における該凹部は、該踵領域の前後方向の中間領域において、該踵領域の幅方向の全領域を直線状に延在するよう形成され、該磁気被吸着部材は、該踵接地部材の前後方向の中間領域において、該踵接地部材の幅方向の全領域を直線状に延在するよう配置される、ことが好ましい。
該磁気被吸着部材は、該踵接地部材の幅方向全域にわたって直線状に延在しかつ該踵接地部材の前方に面する前外面と、該前外面に対し後方に間隔をおいて平行に該踵接地部材の幅方向全域にわたって直線状に延在しかつ該踵接地部材の後方に面する後外面と、該前外面及び後外面の両端間を前後方向に延在する両側面とを備え、該凹部は、該踵領域の幅方向全域にわたって直線状に延在しかつ該踵領域の後方に面する前内面と、該前内面に対し後方に間隔をおいて平行に該踵領域の幅方向全域にわたって直線状に延在しかつ該前内面に対向する後内面とを備え、該踵接地部材は、該磁気被吸着部材の該前外面及び該後外面が、それぞれ該踵領域の該凹部の該前内面及び該後内面にほぼ密着して嵌合されて該踵領域の下面全体を覆うよう該踵領域に装着される、ことが好ましい。
ボウリング用靴である、ことが好ましい。
【発明を実施するための最良の形態】
【００１０】
以下、本発明に従って構成されたボウリング用靴の好適な実施の形態を添付図面を参照して詳細に説明する。
【００１１】
図１及び図２を参照して、全体を番号２で示すボウリング用靴は、靴底本体４と、靴底本体４の上面側に一体に設けられ被い部６と、靴底本体４の踵領域８に離脱自在に装着される踵接地部材１０とを備えている。なお、このボウリング用靴２は、ボールを投げるときに、投げる手と反対側の足に履く靴であり、実施形態においては、左足用の靴である。足の甲や踵の周囲などを被うための被い部６は、公知の構成を利用することでよく、適宜の材料、例えば人工皮革あるいは天然皮革などから形成される。靴底本体４は、適宜の材料、例えば合成ゴムから一体に形成される。図３に示されているように、実施形態において、靴底本体４の踵領域８の前端は、靴底本体４の幅方向の全域にわたって直線状に延在するよう規定され、踵領域８の後端はほぼ円弧形状をなしている。
【００１２】
図１〜図３を参照して、靴底本体４の踵領域８の中央領域には凹部１２が形成され、凹部１２の底面には磁気吸着部材、実施形態においては磁石部材１４が固着されている。靴底本体４の踵領域８における、凹部１２を除く下面領域の全域には、係合手段、実施形態においては、面ファスナの多数のフック１６が配設されている。この多数のフック１６は、ベースとなる帯部材に配設され、この帯部材が踵領域８における上記下面領域に貼着されている。
【００１３】
更に具体的に説明すると、凹部１２は、踵領域８の下面からほぼ一定の深さを有しており、その底面は、踵領域８の下面と共通の仮想面に対しほぼ平行である。凹部１２は、直線内面１２ａと曲内面１２ｂとからなる内周面を備えている。直線内面１２ａは、踵領域８の幅方向（図３において上下方向）に直線状に延在し、曲内面１２ｂは、直線内面１２ａに対し踵領域８の後側領域内（図３において右側領域内）において、直線内面１２ａの両端間をほぼ円弧状に延在する。
【００１４】
磁石部材１４は、所定の厚さを有する磁石板部材、実施形態においては、所定の厚さを有すると共に可撓性を有する磁石板部材であるラバーマグネットから形成されている。磁石部材１４は、平面から見て、凹部１２とほぼ同じ輪郭を有しているが、わずかに小さい輪郭を有しており、凹部１２内に挿入されて凹部１２の底面のほぼ全域を覆うよう貼着される。
【００１５】
図１〜図５を参照して、踵接地部材１０は、適宜の材料、例えば合成ゴムから形成され、靴底本体４の踵領域８の輪郭とほぼ同じ輪郭を有している。踵接地部材１０の中央領域の上面には、磁気被吸着部材、実施形態においては磁石部材１８が該上面から所定の高さだけ突出して固着されている。踵接地部材１０における、磁石部材１８を除く上面領域の全域には、被係合手段、実施形態においては、面ファスナの多数のループ２０が配設されている。この多数のループ２０は、ベースとなるシート部材に配設され、このシート部材が踵接地部材１０における上記上面領域に貼着されている。
【００１６】
更に具体的に説明すると、磁石部材１８は、所定の厚さを有する磁石板部材、実施形態においては、所定の厚さを有すると共に可撓性を有する磁石板部材であるラバーマグネットから形成されている。実施形態においては、磁石部材１８は、可撓性板部材である合成ゴム板２２を介して、踵接地部材１０の上面に配設されている。すなわち、磁石部材１８はほぼ同じ輪郭（平面から見た輪郭）を有する合成ゴム板２２の上面に貼着され、上面に磁石部材１８が貼着された合成ゴム板２２が踵接地部材１０の上面に貼着されている。もちろん、このような構成に代えて、所定の厚さの磁石部材１８を直接、踵接地部材１０の上面に貼着してもよい。いずれの構成においても、磁石部材１８の上面は、踵接地部材１０の上面、更には多数のループ２０の上面よりも突出した位置に存在することが重要である。
【００１７】
磁石部材１８及び合成ゴム板２２は、踵領域８の凹部１２内に挿入されて凹部１２の底面に貼着された上記磁石部材１４と実質的に同じ輪郭（平面から見た輪郭）を有している。すなわち、磁石部材１８及び合成ゴム板２２は、それぞれ直線外面１８ａ及び２２ａと曲外面１８ｂ及び２２ｂとからなる外周面を備えている。直線外面１８ａ及び２２ａは、踵接地部材１０の幅方向（図４において上下方向）に直線状に延在し、曲外面１８ｂ及び２２ｂは、直線外面１８ａ及び２２ａに対し踵接地部材１０の後側領域内（図４において右側領域内）において、直線外面１８ａ及び２２ａの両端間をほぼ円弧状に延在する。
【００１８】
踵接地部材１０は、磁石部材１８が（実施形態においては磁石部材１８及び合成ゴム板２２が）、靴底本体４における踵領域８の凹部１２に離脱自在に嵌合されかつ磁石部材１４に分離可能に吸着される（磁石部材１８の片面、すなわち露呈された片面であって、図１及び図２において上面が、磁石部材１４の片面、すなわち露呈された片面であって、図１及び図２において下面に吸着される）と共に被係合手段である多数のループ２０が係合手段である多数のフック１６に離脱自在に係合されて踵領域８に離脱自在に装着される（図１１参照）。踵接地部材１０は、磁石部材１８及び合成ゴム板２２の上記外周面が踵領域８の凹部１２の内周面にほぼ密着して嵌合されて踵領域８の下面全体を覆うよう踵領域８に装着される。なお、踵領域８の下面から、凹部１２の底面に固着された磁石部材１４の該片面までの深さは、踵接地部材１０の上面から、磁石部材１８の該片面までの高さとほぼ等しい。これらの寸法は、要するに、磁石部材１８が（実施形態においては磁石部材１８及び合成ゴム板２２が）、靴底本体４における踵領域８の凹部１２に離脱自在に嵌合されかつ磁石部材１４に分離可能に吸着された状態で、多数のループ２０が多数のフック１６に離脱自在にしっかりと係合されて踵領域８に離脱自在に装着される程度に設定されればよい。
【００１９】
周知のラバーマグネットから形成される磁石部材１４及び１８は、それぞれ片面に帯状のＮ極Ｓ極が交互に並ぶように着磁されている。したがって、踵接地部材１０の磁石部材１８の該片面が、踵領域８の凹部１２の底面に貼着された磁石部材１４の該片面に重合されたとき、磁石部材１８における該片面の磁極の各々が、磁石部材１４における該片面の磁極の各々に対し、それぞれ相互に異極となるよう、相互の磁極が配列されていることが好ましい。このような組み合わせにより、磁石部材１８の該片面は、磁石部材１４の該片面に対し、十分確実に吸着される。
【００２０】
上記説明から明らかなように、踵接地部材１０は、靴底本体４における踵領域８に対し、面ファスナ（フック１６及びループ２０）による係合に加えて、踵接地部材１０の磁石部材１８が踵領域８の磁石部材１４に吸着されることにより踵領域８に離脱自在に装着されるので、靴底本体４の踵領域８と踵接地部材１０との結合部における耐久性を、面ファスナのみによる従来の結合部における耐久性よりも向上させることができ、踵接地部材１０を含むボウリング用靴２全体の寿命を長くすることを可能にするのである。
【００２１】
つまり、従来のように、踵接地部材１０を、靴底本体４における踵領域８に対し、面ファスナのみにより係合した場合には、繰り返して行われる滑り及び停止動作で発生する大きな摩擦力や荷重に対する耐久性に乏しく、当初のしっかりした保持力が所望する期間の間維持されず、比較的早期に劣化してしまう。靴底本体４の踵領域８と踵接地部材１０との結合部には、特に大きな荷重が作用するので劣化が早くなる。これに対し本発明においては、面ファスナによる係合と磁石部材１８及び１４による結合とを併用しており、しかも、磁石部材１８及び１４間の吸着による結合能力は半永久的に維持されるので、面ファスナによる係合部に作用する負荷が軽減されて、面ファスナによる係合部の耐久性が向上する。その結果、踵接地部材１０の、靴底本体４における踵領域８に対する結合部全体の耐久性が向上し、踵接地部材１０を含むボウリング用靴２全体の寿命を長くすることができるのである。
【００２２】
踵接地部材１０は、踵接地部材１０の上面に該上面から突出して固着された磁石部材１８、実施形態においては磁石部材１８及び合成ゴム板２２（要するに突起部）が、靴底本体４における踵領域８の凹部１２に離脱自在に嵌合されかつ磁石部材１４に分離可能に吸着されるので、滑り及び停止動作で発生する大きな摩擦力や荷重に対し、凹部１２に嵌合された磁石部材１８及び合成ゴム板２２がスラスト方向の荷重を受け止めてくれる。その結果、面ファスナによる係合部に作用する負荷（特にスラスト方向の負荷）が軽減されて、面ファスナによる係合部の耐久性が向上する。上記実施形態において、踵接地部材１０は、磁石部材１８の外周面が踵領域８の凹部１２の内周面にほぼ密着して嵌合されて踵領域８の下面全体を覆うよう踵領域８に装着されるので、上記効果を十分確実に得ることができる。
【００２３】
上記実施形態において、靴底本体４の踵領域８における凹部１２は踵領域８の中央領域に形成され、踵接地部材１０の上面に突出して固着された磁石部材１８、実施形態においては磁石部材１８及び合成ゴム板２２は踵接地部材１０の中央領域に形成されている。踵領域８の中央領域は特に体重などの荷重が大きく作用するので、上記レイアウトにより面ファスナの係合部に対する荷重負担が軽減され、面ファスナの耐久性を向上させる。
【００２４】
また、上記ボウリング用靴２において、靴底本体４の踵領域８と踵接地部材１０との結合に、面ファスナに加えて磁石部材１４及び１８が付加されるので、踵領域８と踵接地部材１０との結合部の重量が、面ファスナのみにより結合されている従来のボウリング用靴よりも増加する。この構成は、滑り及び停止動作を重視するボウリング用靴としてのバランス向上に寄与するものである。
【００２５】
磁石部材１４及び１８を、所定の厚さを有する磁石板部材から構成した場合には、スペース的にきわめて有利であると共に所要の吸着面積を容易に確保できる。磁石部材１４及び１８を、可撓性を有する磁石板部材であるラバーマグネットから形成した場合には、使用時における靴底本体４の踵領域８及び踵接地部材１０のたわみに追従できるので、ボウリング用靴２の機能を損なうことはない。
【００２６】
次に、図６〜図１０及び図１２を参照して、本発明によるボウリング用靴の他の実施形態について説明する。なお、図６〜図１０及び図１２において、図１〜図５及び図１１を参照して説明したボウリング用靴と実質的に同一部分は同一符号で示し、説明は省略する。
【００２７】
先ず、図６〜図８を参照して、全体を番号３０で示すボウリング用靴３０において、靴底本体４の踵領域８における凹部３２は、踵領域８における前後方向の中間領域において、踵領域８の幅方向の全領域を直線状に延在するよう形成されている。凹部３２は、踵領域８の幅方向全域にわたって直線状に延在しかつ踵領域８の後方に面する前内面３２ａと、前内面３２ａに対し後方に間隔をおいて平行に踵領域８の幅方向全域にわたって直線状に延在しかつ前内面１２ａに対向する後内面１２ｂとを備えている。凹部３２は、踵領域８の幅方向に縦長の矩形平面形状を有している。
【００２８】
凹部３２は、踵領域８の下面からほぼ一定の深さを有しており、その底面は、踵領域８の下面と共通の仮想面に対しほぼ平行である。凹部３２の底面には、磁気吸着部材、実施形態においては磁石部材３４が固着されている。靴底本体４の踵領域８における、凹部３２を除く下面領域の全域には、係合手段、実施形態においては、面ファスナの多数のフック１６が配設されている。この多数のフック１６は、ベースとなるシート部材に配設され、このシート部材が踵領域８における上記下面領域に貼着されている。
【００２９】
磁石部材３４は、所定の厚さを有する磁石板部材、実施形態においては、所定の厚さを有すると共に可撓性を有する磁石板部材であるラバーマグネットから形成されている。磁石部材３４は、凹部３２とほぼ同じ輪郭（平面から見た輪郭であって、踵領域８の幅方向に縦長の矩形平面形状）であるが、凹部３２よりもわずかに小さいの前後方向長さを有しており、凹部３２内に挿入されて凹部３２の底面のほぼ全域を覆うよう貼着される。
【００３０】
図６〜図１０を参照して、踵接地部材４０は、適宜の材料、例えば合成ゴムから形成され、靴底本体４の踵領域８の輪郭とほぼ同じ輪郭平面から見た輪郭）を有している。踵接地部材４０には、磁気被吸着部材、実施形態においては磁石部材４２が該上面から所定の高さだけ突出して固着されている。踵接地部材４０における、磁石部材４２を除く上面領域の全域には、被係合手段、実施形態においては、面ファスナの多数のループ２０が配設されている。この多数のループ２０は、ベースとなるシート部材に配設され、このシート部材が踵接地部材４０における上記上面領域に貼着されている。
【００３１】
磁石部材４２は、所定の厚さを有する磁石板部材、実施形態においては、所定の厚さを有すると共に可撓性を有する磁石板部材であるラバーマグネットから形成されている。実施形態においては、磁石部材４２は、可撓性板部材である合成ゴム板４４を介して、踵接地部材４０の上面に配設されている。すなわち、磁石部材４２はほぼ同じ輪郭（平面から見た輪郭）を有する合成ゴム板４４の上面に貼着され、上面に磁石部材４２が貼着された合成ゴム板４４が踵接地部材４０の上面に貼着されている。もちろん、このような構成に代えて、所定の厚さの磁石部材４２を直接、踵接地部材４０の上面に貼着してもよい。いずれの構成においても、磁石部材４２の上面は、踵接地部材４０の上面、更には多数のループ２０の上面よりも突出した位置に存在することが重要である。
【００３２】
磁石部材４２及び合成ゴム板４４は、踵領域８の凹部３２内に挿入されて凹部３２の底面に貼着された上記磁石部材３４と実質的に同じ輪郭（平面から見た輪郭）を有している。磁石部材４２及び合成ゴム板４４は、踵接地部材４０の前後方向の中間領域において、踵接地部材４０の幅方向の全領域を直線状に延在するよう配置されている。磁石部材４２及び合成ゴム板４４は、それぞれ、踵接地部材４０の幅方向全域にわたって直線状に延在しかつ踵接地部材４０の前方に面する前外面４２ａ及び４４ａと、前外面４２ａ及び４４ａに対し後方に間隔をおいて平行に踵接地部材４０の幅方向全域にわたって直線状に延在しかつ踵接地部材４０の後方に面する後外面４２ｂ及び４４ｂと、前外面４２ａ、４４ａ及び後外面４２ｂ、４４ｂの両端間を前後方向に延在する両側面４２ｃ、４４ｃ及び４２ｄ、４４ｄとを備えている。
【００３３】
踵接地部材４０は、磁石部材４２及び合成ゴム板４４の前外面及び後外面４２ａ、４４ａ及び４２ｂ、４４ｂが、それぞれ踵領域８の凹部３２の前内面及び後内面３２ａ及び３２ｂにほぼ密着して嵌合されて踵領域８の下面全体を覆うよう踵領域８に離脱自在に装着される（図１２参照）。踵接地部材４０の磁石部材４２は凹部３２内の磁石部材３４に分離可能に吸着され（（磁石部材４２の片面、すなわち露呈された片面であって、図６及び図７において上面が、磁石部材３４の片面、すなわち露呈された片面であって、図６及び図７において下面に吸着され）、踵接地部材４０における被係合手段である多数のループ２０が踵領域８における係合手段である多数のフック３６に離脱自在に係合される。
【００３４】
図６〜図１０及び図１２を参照して説明したボウリング用靴３０のその他の構成は、図１〜図５及び図１１を参照して説明したボウリング用靴２と実質的に同じであるので、更なる説明は省略する。上記説明から容易に理解されるように、ボウリング用靴３０は、ボウリング用靴２と実質的に同じ特徴を有する構成を有しているので、ボウリング用靴２と実質的に同じ作用効果を得ることができる。また、ボウリング用靴２の説明において紹介した各種の変形例は、ボウリング用靴３０においても適用可能である。
【００３５】
本発明による上記実施形態において、踵領域８における凹部１２又は３２内の底面に固着される磁気吸着部材として磁石部材１４又は３４（ラバーマグネット）が使用され、踵接地部材１０の上面に突出して固着される磁気被吸着部材として磁石部材１８又は４２（ラバーマグネット）が使用されているが、他の組み合わせも可能である。例えば、磁気吸着部材として磁石部材１４又は３４を使用し、磁気被吸着部材として磁性部材を使用する他の組み合わせ、磁気吸着部材として磁性部材を使用し、磁気被吸着部材として磁石部材１８又は４２を使用する更に他の組み合わせが可能である。鉄あるいは鋼などの磁性部材は、所定の厚さを有する磁性板部材であることが好ましく、磁性板部材は可撓性を有することが好ましい。可撓性を有する磁性板部材は、例えば、合成ゴムに鉄粉を混ぜてロールにより圧延、成形することにより形成することができる。なお、磁石部材１４、１８、３４及び４２は、ラバーマグネットに限定されることなく、広くは、ボンドマグネット（ラバーマグネット及びプラスチックマグネット）から構成することもできる。必要に応じて、適宜の磁石部材を選定することができる。磁石部材１４、１８、３４及び４２はまた、必要に応じて、可撓性のない磁石板部材から形成することも可能である。
【００３６】
なお、上記説明から明らかなように、本明細書において、磁気吸着部材及び磁気被吸着部材とは、それぞれ磁石部材又は磁性部材を含む包括的な部材を意味するものであって、このうち、靴底本体４の踵領域８に装着される上記部材を磁気吸着部材と称し、また、踵接地部材１０に装着される上記部材を磁気被吸着部材と称している。磁気吸着部材と磁気被吸着部材は、相対的に磁気関係が成立することが必須であって、両方が磁性部材から構成されることはなく、少なくとも一方が磁石部材でなければ成立しない。
【００３７】
上記実施形態において、踵領域８の上記下面領域には面ファスナの係合手段である多数のフック１６が配設され、踵接地部材１０及び４０の上記上面領域には面ファスナの被係合手段である多数のループ２０が配設されているが、このような構成とは逆に、踵領域８の上記下面領域に多数のループ２０を配設し、踵接地部材１０及び４０の上記上面領域に多数のフック１６を配設することによって、面ファスナを構成する他の実施形態もある。面ファスナとしては、フックとパイルとを組み合わせたものであってもよい。
【００３８】
上記実施形態において、ボウリング用靴２及び３０の靴底本体４の爪先側の領域の下面には、適宜の接地部材が取り付けられるが、図示及び説明は省略した。
【００３９】
本発明による靴はボウリング用靴に適用されるが、交換可能な踵接地部材を必要とする他の靴、例えば各種のスポーツ用の靴などに広く適用可能である。
【図面の簡単な説明】
【００４０】
【図１】本発明に従って構成されたボウリング用靴の好適実施形態を示す分解側面図。
【図２】図１に示すボウリング用靴を後方（図１において右方）から見た分解後面図。
【図３】図１に示すボウリング用靴の靴底本体の下面図。
【図４】図１に示すボウリング用靴の靴底本体の踵領域に離脱自在に装着される踵接地部材の上面図。
【図５】図４に示す踵接地部材の斜視図。
【図６】本発明に従って構成されたボウリング用靴の他の実施形態を示す分解側面図。
【図７】図６に示すボウリング用靴を後方（図６において右方）から見た分解後面図。
【図８】図６に示すボウリング用靴の靴底本体の下面図。
【図９】図６に示すボウリング用靴の靴底本体の踵領域に離脱自在に装着される踵接地部材の上面図。
【図１０】図９に示す踵接地部材の斜視図。
【図１１】図１に示すボウリング用靴の使用可能状態を示す側面図。
【図１２】図６に示すボウリング用靴の使用可能状態を示す側面図。
【符号の説明】
【００４１】
２：ボウリング用靴
４：靴底本体
８：踵領域
１０、４０：踵接地部材
１２、３２：凹部
１４、１８、３４、４２：磁石部材
１６：多数のフック（面ファスナの係合手段）
２０：多数のループ（面ファスナの被係合手段）
【図１】
2005087250.tif 000003
【図２】
2005087250.tif 000004
【図３】
2005087250.tif 000005
【図４】
2005087250.tif 000006
【図５】
2005087250.tif 000007
【図６】
2005087250.tif 000008
【図７】
2005087250.tif 000009
【図８】
2005087250.tif 000010
【図９】
2005087250.tif 000011
【図１０】
2005087250.tif 000012
【図１１】
2005087250.tif 000013
【図１２】
2005087250.tif 000014